Podtech/llm-jp-corpus-v4-ja_patent huggingface dataset:
【手続補正書】
【提出日】平成20年6月30日(2008.6.30)
【手続補正１】
【補正対象書類名】明細書
【補正対象項目名】特許請求の範囲
【補正方法】変更
【補正の内容】
【特許請求の範囲】
【請求項１】  局部洗浄のための機能部、並びに前記機能部を制御する制御部を収納したケーシングを、便器に対して着脱可能に取付けるようにした衛生洗浄装置において、前記便器の上面後背部に固定される取付プレートに被検出体を組込むとともに、前記取付プレートを介して便器の上面後背部に取付けられるケーシングには、前記取付プレートを挿入するためのプレート挿入部を形成し、前記プレート挿入部の前記取付プレートに組込んだ被検出体と対応する位置に、前記被検出体を検出することによりケーシングの便器への着脱状態を検知する検知手段を配設し、前記ケーシングの便座への着脱状態に対応して、機能部への通電及び通電停止を制御するようにし、前記被検出体は、有底筒状のキャップ体内に挿入し、この状態で、前記キャップ体を取付プレートに形成した収納凹部に組込むことにより、前記被検出体を外部から遮蔽するようにしたことを特徴とする衛生洗浄装置。
【請求項２】  前記被検出体は、平面形状を左右非対称な形状で形成するようにしたことを特徴とする請求項１記載の衛生洗浄装置。
【請求項３】  前記キャップ体の外周面には、収納凹部の内周面と当接することにより、該収納凹部内への水分の浸入を阻止するための防水リブを周設するようにしたことを特徴とする請求項１記載の衛生洗浄装置。
【請求項４】  前記検知手段は、ケーシングのプレート挿入部に形成した収納部内に、取付プレートに組込んだ被検出体と対向する状態で収納し、この状態で、前記収納部にカバー体を被着することにより、前記検知手段を外部から遮蔽するようにしたことを特徴とする請求項１記載の衛生洗浄装置。
【請求項５】  前記収納部には、該収納部内と外部とを連通し、収納部内への水分の浸入を阻止する排水路を形成するようにしたことを特徴とする請求項４記載の衛生洗浄装置。
【請求項６】  前記収納部には、検知手段から引出されるリード線を、前記検知手段よりも下方に屈曲させた状態で導出することができるように、所定の深さ寸法で前記リード線の導出部を切欠形成するようにしたことを特徴とする請求項４または５記載の衛生洗浄装置。
【請求項７】  前記ケーシングに便座とともに開閉可能に枢支される便蓋には、該便蓋の開閉動作に伴って所定の角度範囲で回動する被検出体を組込むとともに、前記ケーシングの前記便蓋に組込んだ被検出体と対向する位置には、前記被検出体を検出することにより便蓋の開閉状態を検知する検知手段を配設し、前記便蓋の開閉状態を検知する検知手段として、ケーシングの便器への着脱状態を検知する検知手段と共通のものを使用するようにしたことを特徴とする請求項１記載の衛生洗浄装置。
【請求項８】  前記取付プレートには、複数の透孔を穿孔するとともに、前記ケーシングのプレート挿入部には、前記取付プレートの透孔と対応する位置に複数の固定ボスを突設し、前記取付プレートをプレート挿入部に挿入した状態で、前記取付プレート側から止ねじを、該取付プレートの透孔を通してケーシングの固定用ボスに螺合して、前記取付プレートをケーシングに固定するとともに、前記取付プレートを便器の上面後背部に固定することにより、ケーシングを便器に取付けるようにしたことを特徴とする請求項１記載の衛生洗浄装置。
【手続補正２】
【補正対象書類名】明細書
【補正対象項目名】００１０
【補正方法】変更
【補正の内容】
【００１０】
また、前記被検出体は、有底筒状のキャップ体内に挿入し、この状態で、前記キャップ体を取付プレートに形成した収納凹部に組込むことにより、前記被検出体を外部から遮蔽するようにしたことを特徴とする。
【手続補正３】
【補正対象書類名】明細書
【補正対象項目名】００１１
【補正方法】変更
【補正の内容】
【００１１】
請求項２記載の発明は、請求項１記載の衛生洗浄装置において、前記被検出体は、平面形状を左右非対称な形状で形成するようにしたことを特徴とする。
【手続補正４】
【補正対象書類名】明細書
【補正対象項目名】００１２
【補正方法】変更
【補正の内容】
【００１２】
請求項３記載の発明は、請求項１記載の衛生洗浄装置において、前記キャップ体の外周面には、収納凹部の内周面と当接することにより、該収納凹部内への水分の浸入を阻止するための防水リブを周設するようにしたことを特徴とする。
【手続補正５】
【補正対象書類名】明細書
【補正対象項目名】００１３
【補正方法】変更
【補正の内容】
【００１３】
請求項４記載の発明は、請求項１記載の衛生洗浄装置において、前記検知手段は、ケーシングのプレート挿入部に形成した収納部内に、取付プレートに組込んだ被検出体と対向する状態で収納し、この状態で、前記収納部にカバー体を被着することにより、前記検知手段を外部から遮蔽するようにしたことを特徴とする。
【手続補正６】
【補正対象書類名】明細書
【補正対象項目名】００１４
【補正方法】変更
【補正の内容】
【００１４】
請求項５記載の発明は、請求項４記載の衛生洗浄装置において、前記収納部には、該収納部内と外部とを連通し、収納部内への水分の浸入を阻止する排水路を形成するようにしたことを特徴とする。
【手続補正７】
【補正対象書類名】明細書
【補正対象項目名】００１５
【補正方法】変更
【補正の内容】
【００１５】
請求項６記載の発明は、請求項４または５記載の衛生洗浄装置において、前記収納部には、検知手段から引出されるリード線を、前記検知手段よりも下方に屈曲させた状態で導出することができるように、所定の深さ寸法で前記リード線の導出部を切欠形成するようにしたことを特徴とする。
【手続補正８】
【補正対象書類名】明細書
【補正対象項目名】００１６
【補正方法】変更
【補正の内容】
【００１６】
請求項７記載の発明は、請求項１記載の衛生洗浄装置において、前記ケーシングに便座とともに開閉可能に枢支される便蓋には、該便蓋の開閉動作に伴って所定の角度範囲で回動する被検出体を組込むとともに、前記ケーシングの前記便蓋に組込んだ被検出体と対向する位置には、前記被検出体を検出することにより便蓋の開閉状態を検知する検知手段を配設し、前記便蓋の開閉状態を検知する検知手段として、ケーシングの便器への着脱状態を検知する検知手段と共通のものを使用するようにしたことを特徴とする。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
請求項８記載の発明は、請求項１記載の衛生洗浄装置において、前記取付プレートには、複数の透孔を穿孔するとともに、前記ケーシングのプレート挿入部には、前記取付プレートの透孔と対応する位置に複数の固定ボスを突設し、前記取付プレートをプレート挿入部に挿入した状態で、前記取付プレート側から止ねじを、該取付プレートの透孔を通してケーシングの固定用ボスに螺合して、前記取付プレートをケーシングに固定するとともに、前記取付プレートを便器の上面後背部に固定することにより、ケーシングを便器に取付けるようにしたことを特徴とする。
【手続補正書】
【提出日】平成20年5月9日(2008.5.9)
【手続補正１】
【補正対象書類名】明細書
【補正対象項目名】特許請求の範囲
【補正方法】変更
【補正の内容】
【特許請求の範囲】
【請求項１】合成繊維からなる織物が、機能性樹脂で被覆された糸条を含有する織糸で構成されており、ＪＩＳ  Ｌ１０９６  Ａ法に基づいて測定される通気度が０．５ｍｌ／ｃｍ２／ｓｅｃ以下であることを特徴とするエアバッグ用織物。
【請求項２】該機能性樹脂が、異種の機能を有する樹脂の組合せである請求項１記載のエアバッグ用織物。
【請求項３】該織糸が、少なくとも２種の機能性樹脂で被覆された糸条を含有するものである請求項２記載のエアバッグ用織物。
【請求項４】該織糸が、１本ずつが異なる機能性樹脂で被覆されてなる糸条を含むものである請求項２または３記載のエアバッグ用織物。
【請求項５】該織糸が、機能性樹脂で被覆されているものである請求項１〜４のいずれかに記載のエアバッグ用織物。
【請求項６】該異種の機能を有する樹脂の組合せが、混合樹脂である請求項２記載のエアバッグ用織物。
【請求項７】該機能性樹脂が、耐熱性、熱軟化性、目ズレ防止性、柔軟性、平滑性、タック防止性、撥水性、制電性、防カビ性および難燃性から選ばれた少なくとも１種の機能を有するものである請求項１〜６のいずれかに記載のエアバッグ用織物。
【請求項８】該織糸の収束断面が、扁平形状である請求項１〜７のいずれかに記載のエアバッグ用織物。
【請求項９】該織物が、カレンダー処理されたものである請求項１〜８のいずれかに記載のエアバッグ用織物。
【請求項１０】該織物が、そのカバーファクターが１５００〜２２００である請求項１〜９のいずれかに記載のエアバッグ用織物。
【請求項１１】該織糸の繊度が、５０〜５００デシテックスである請求項１〜１０のいずれかに記載のエアバッグ用織物。
【請求項１２】該織糸を構成する単繊維の繊度が、６．５デシテックス以下である請求項１〜１１のいずれかに記載のエアバッグ用織物。
【請求項１３】請求項１に記載のエアバッグ用織物の製造法であって、機能性樹脂で織糸を被覆した後、該機能性樹脂被覆糸条を織糸として用いて製織することを特徴とするエアバッグ用織物の製造法。
【請求項１４】請求項１に記載のエアバッグ用織物の製造法であって、予め機能性樹脂で糸条を被覆して機能性樹脂被覆糸条を形成した後、該機能性樹脂被覆糸条を含有せしめて織糸を構成した後、該織糸を用いて製織することを特徴とするエアバッグ用織物の製造法。
【請求項１５】該機能性樹脂被覆糸条が、異種の機能を有する樹脂の組合せである請求項１３または１４記載のエアバッグ用織物の製造法。
【請求項１６】該機能性樹脂被覆糸条が、糸条１本ずつが異種の機能を有するものである請求項１５記載のエアバッグ用織物の製造法。
【請求項１７】該織糸を、さらに機能性樹脂で被覆するものである請求項１４〜１６のいずれかに記載のエアバッグ用織物の製造法。
【請求項１８】請求項１〜１２のいずれかに記載のエアバッグ用織物で構成されていることを特徴とするエアバッグ。
【手続補正２】
【補正対象書類名】明細書
【補正対象項目名】０００５
【補正方法】変更
【補正の内容】
【０００５】
【課題を解決するための手段】
本発明は、かかる課題を解決するために、次のような手段を採用する。すなわち、本発明のエアバッグ用織物は、合成繊維からなる織物が、機能性樹脂で被覆された糸条を含有する織糸で構成されており、ＪＩＳ  Ｌ１０９６  Ａ法に基づいて測定される通気度が０．５ｍｌ／ｃｍ２／ｓｅｃ以下であることを特徴とするものである。かかるエアバッグ用織物の製造方法は、機能性樹脂で織糸を被覆した後、該機能性樹脂被覆糸条を織糸として用いて製織することを特徴とするものであり、また、本発明のエアバッグは、前記エアバッグ用織物で構成されていることを特徴とするものである。
【手続補正書】
【提出日】平成20年5月28日(2008.5.28)
【手続補正１】
【補正対象書類名】明細書
【補正対象項目名】特許請求の範囲
【補正方法】変更
【補正の内容】
【特許請求の範囲】
【請求項１】  下記一般式（１）：
【化１】
2002363155.tif 000001
（式中、Ｒ1は水素原子、又は、水酸基の保護基を表し、Ｒ2は炭素数１〜１８のアルキル基、又は、炭素数６〜１８のアリール基を表す）で表されるアゼチジノン誘導体に、下記一般式（２）：
Ｒ3ＣＯＯＨ （２）
（式中、Ｒ３は炭素数１〜１８のアルキル基、炭素数６〜１８のアリール基を表す）で表されるカルボン酸またはその塩の共存下に、分子状ハロゲン、次亜ハロゲン酸塩、ハロゲン化スルフリル、ハロゲン間化合物から成る群より選択される少なくとも１つの化合物を作用させることを特徴とする、一般式（３）：
【化２】
2002363155.tif 000002
（式中、Ｒ1及びＲ3は前記と同じ）で表される４−アシルオキシ−２−アゼチジノン誘導体の製造方法。
【請求項２】  カルボン酸が、酢酸、ハロ酢酸、シアノ酢酸、プロピオン酸、酪酸、イソ酪酸、吉草酸、イソ吉草酸、安息香酸、ハロ安息香酸、メトキシ安息香酸、およびニトロ安息香酸から成る群より選択される少なくとも１つである請求項１記載の製造方法。
【請求項３】  カルボン酸の金属塩を用いる請求項１または２に記載の製造方法。
【請求項４】  カルボン酸の金属塩が、アルカリ金属塩またはアルカリ土類金属塩である請求項３記載の製造方法。
【請求項５】  カルボン酸の金属塩が、酢酸リチウム、酢酸ナトリウム、酢酸カリウム、酢酸カルシウム、安息香酸ナトリウム、安息香酸カリウム、および安息香酸カルシウムから成る群から選択される少なくとも１つである、請求項４記載の製造方法。
【請求項６】  カルボン酸の有機アミン塩を用いる請求項１または２に記載の製造方法。
【請求項７】  カルボン酸の有機アミン塩が、トリメチルアミン塩、トリエチルアミン塩、またはジイソプロピルエチルアミン塩である請求項６記載の製造方法。
【請求項８】  ハロゲン化スルフリルが、塩化スルフリルである、請求項１から７のいずれかに記載の製造方法。
【請求項９】  次亜ハロゲン酸塩が、次亜塩素酸ナトリウム、次亜臭素酸ナトリウム、または次亜塩素酸カルシウムである請求項１から７のいずれかに記載の製造方法。
【請求項１０】  次亜ハロゲン酸塩を水溶液として使用することを特徴とする、請求項９記載の製造方法。
【請求項１１】  分子状ハロゲンが、塩素、臭素、またはヨウ素である請求項１から７のいずれかに記載の製造方法。
【請求項１２】  ハロゲン間化合物が、一塩化臭素、一塩化ヨウ素、一臭化ヨウ素、または三塩化ヨウ素の少なくとも１つである請求項１から７のいずれかに記載の製造方法。
【請求項１３】  Ｒ1がｔｅｒｔ−ブチルジメチルシリル基である請求項１から１２のいずれかに記載の製造方法。
【請求項１４】  Ｒ2が、メチル基、エチル基、フェニル基、ｔｅｒｔ−ブチル基、またはｎ−ブチル基である、請求項１から１３のいずれかに記載の製造方法。
【請求項１５】  一般式（１）で表されるアゼチジノン誘導体の光学活性体を使用して、一般式（３）で表される４−アシルオキシ−２−アゼチジノン誘導体の光学活性体を得る、請求項１から１４のいずれかに記載の製造方法。
【請求項１６】  一般式（１）で表されるアゼチジノン誘導体の光学活性体として、（３Ｓ、４Ｒ、１’Ｒ）の立体配置のものを使用する請求項１５記載の製造方法。
【手続補正２】
【補正対象書類名】明細書
【補正対象項目名】００２９
【補正方法】変更
【補正の内容】
【００２９】
本発明においては、前記式（１）で表される４−アルキルチオ−２−アゼチジノン誘導体または４−アリールチオ−２−アゼチジノン誘導体に、下記式（２）： 
Ｒ3ＣＯＯＨ      （２） 
（式中、Ｒ3は前記と同じ）で表されるカルボン酸またはその塩の共存下に、分子状ハロゲン、次亜ハロゲン酸塩、ハロゲン化スルフリル、ハロゲン間化合物等のハロゲン化能を有する化合物を作用させることにより、前記式（３）で表される４−アシルオキシ−２−アゼチジノン誘導体を製造する。
【手続補正３】
【補正対象書類名】明細書
【補正対象項目名】００３７
【補正方法】変更
【補正の内容】
【００３７】
なお、カルボン酸を有機アミン塩として使用する場合には、あらかじめ調製されたものを使用することもできるし、また反応条件下に、カルボン酸と上記有機アミンとを混合して用時調製して使用することも可能である。この場合、有機アミンの使用量は、通常、使用するカルボン酸と同じモル当量を使用するが、それより多くてもよいし、少なくてもよい。好ましくは１〜５０モル当量であり、より好ましくは１〜３０モル当量である。
【手続補正４】
【補正対象書類名】明細書
【補正対象項目名】００４９
【補正方法】変更
【補正の内容】
【００４９】
反応における一般式（１）で表される原料の濃度については、特に限定されず、通常０．１重量％〜５０重量％であり、好ましくは、０．５重量％〜３０重量％である。
【手続補正書】
【提出日】平成20年6月2日(2008.6.2)
【手続補正１】
【補正対象書類名】明細書
【補正対象項目名】特許請求の範囲
【補正方法】変更
【補正の内容】
【特許請求の範囲】
【請求項１】  少なくとも水と、着色剤と、カチオン系水系ポリマーとを含み、ｐＨが低下することによりゲル化するインクを２色以上、独立して含むインクセットであって、少なくとも２色のインクのｐＨおよびゲル化ｐＨが異なることを特徴とするインクセット。
【請求項２】  ゲル化ｐＨを持つインク（Ａ）と、インク（Ａ）より低いゲル化ｐＨを持つインク（Ｂ）において、インク（Ｂ）のｐＨが、インク（Ａ）のゲル化ｐＨより低いという関係が２色以上のインク間で成り立つ請求項１に記載のインクセット。
【請求項３】  ゲル化ｐＨを持つインク間のｐＨ差が１以上である関係が２色以上のインク間で成り立つ請求項１または２に記載のインクセット。
【請求項４】  前記インクのいずれかが、分子量２００以下のアミンを含む請求項１〜３のいずれか１項に記載のインクセット。
【請求項５】  前記インクのｐＨが、いずれも８以上である請求項１〜４のいずれか１項に記載のインクセット。
【請求項６】  複数のインクを付着させて被記録材に印字を行う記録方法であって、インクとして請求項１〜５のいずれか１項に記載のインクセットを用いることを特徴とする記録方法。
【請求項７】  複数のインクを飛翔させ、該インクを被記録材に付着させて印字を行うインクジェット記録方法であって、インクとして請求項１〜５のいずれか１項に記載のインクセットを用いることを特徴とするインクジェット記録方法。
【請求項８】  ｐＨの低いインクを先に被記録材に付着させて印字を行い、次にｐＨの高いインクを被記録材に付着させて印字を行う請求項７に記載のインクジェット記録方法。
【手続補正２】
【補正対象書類名】明細書
【補正対象項目名】０００９
【補正方法】変更
【補正の内容】
【０００９】
【課題を解決するための手段】
上記目的は以下の本発明により達成される。すなわち、本発明は、２色以上のインクを用いて、被記録材にインク滴を吐出させてカラー画像記録を行うインクセットにおいて、少なくとも水と、着色剤と、カチオン系水系ポリマーとを含み、ｐＨが低下することによりゲル化するインクを２色以上、独立して含むインクセットであって、少なくとも２色のインクのｐＨおよびゲル化ｐＨが異なることを特徴とするインクセット、および該インクセットを用いる記録方法を提供する。
【手続補正３】
【補正対象書類名】明細書
【補正対象項目名】００１１
【補正方法】変更
【補正の内容】
【００１１】
【発明の実施の形態】
次に好ましい実施の形態を挙げて本発明をさらに詳細に説明する。
本発明によるインクセットは、基本的に、少なくとも水と、着色剤と、カチオン系水系ポリマーとを含み、ｐＨが低下することによりゲル化するインクを２色以上、独立して含むインクセットであって、少なくとも２色のインクのｐＨおよびゲル化ｐＨが異なることを特徴としている。
【手続補正書】
【提出日】平成20年4月22日(2008.4.22)
【手続補正１】
【補正対象書類名】明細書
【補正対象項目名】特許請求の範囲
【補正方法】変更
【補正の内容】
【特許請求の範囲】
【請求項１】モノエタノールアミン、Ｎ−メチルエタノールアミン、Ｎ−エチルエタノールアミン、Ｎ−ブチルエタノールアミン、Ｎ，Ｎ−ジメチルエタノールアミン、Ｎ，Ｎ−ジエチルエタノールアミン、２−（２−ヒドロキシ）エトキシエタノールアミン、ジエタノールアミン、Ｎ−メチルジエタノールアミン、Ｎ−ブチルジエタノールアミン、トリエタノールアミン、プロパノールアミン、イソプロパノールアミン、ヒドロキシエチルピペラジンおよびアンモニア水溶液からなる群より選ばれた少なくとも１種を１〜４０重量％、塩素酸、塩素酸塩、亜塩素酸、亜塩素酸塩、次亜塩素酸塩および次亜塩素酸塩からなる群より選ばれた少なくとも１種の酸化剤を１〜１５重量％、アンモニウム塩を１〜１０重量％ならびにアゾール化合物を０．１〜２重量％の濃度で混合してなる水溶液からなる銅または銅合金のエッチング剤。
【請求項２】銅または銅合金の表面に、モノエタノールアミン、Ｎ−メチルエタノールアミン、Ｎ−エチルエタノールアミン、Ｎ−ブチルエタノールアミン、Ｎ，Ｎ−ジメチルエタノールアミン、Ｎ，Ｎ−ジエチルエタノールアミン、２−（２−ヒドロキシ）エトキシエタノールアミン、ジエタノールアミン、Ｎ−メチルジエタノールアミン、Ｎ−ブチルジエタノールアミン、トリエタノールアミン、プロパノールアミン、イソプロパノールアミン、ヒドロキシエチルピペラジンおよびアンモニア水溶液からなる群より選ばれた少なくとも１種を１〜４０重量％、塩素酸、塩素酸塩、亜塩素酸、亜塩素酸塩、次亜塩素酸塩および次亜塩素酸塩からなる群より選ばれた少なくとも１種の酸化剤を１〜１５重量％、アンモニウム塩を１〜１０重量％ならびにアゾール化合物を０．１〜２重量％の濃度で混合してなる水溶液を接触させ、前記表面を平滑にするエッチング法。
【手続補正２】
【補正対象書類名】明細書
【補正対象項目名】０００５
【補正方法】変更
【補正の内容】
【０００５】
【課題を解決するための手段】
本発明者らは、前記課題を解決するべく鋭意検討を重ねた結果、銅表面を、モノエタノールアミン、Ｎ−メチルエタノールアミン、Ｎ−エチルエタノールアミン、Ｎ−ブチルエタノールアミン、Ｎ，Ｎ−ジメチルエタノールアミン、Ｎ，Ｎ−ジエチルエタノールアミン、２−（２−ヒドロキシ）エトキシエタノールアミン、ジエタノールアミン、Ｎ−メチルジエタノールアミン、Ｎ−ブチルジエタノールアミン、トリエタノールアミン、プロパノールアミン、イソプロパノールアミン、ヒドロキシエチルピペラジンおよびアンモニア水溶液からなる群より選ばれた少なくとも１種、酸化剤、アンモニウム塩およびアゾール化合物を混合した水溶液と接触させると、銅表面を平滑にできることを見出した。
【手続補正３】
【補正対象書類名】明細書
【補正対象項目名】０００６
【補正方法】変更
【補正の内容】
【０００６】
即ち、本発明は下記の構成により達成される。
（１）モノエタノールアミン、Ｎ−メチルエタノールアミン、Ｎ−エチルエタノールアミン、Ｎ−ブチルエタノールアミン、Ｎ，Ｎ−ジメチルエタノールアミン、Ｎ，Ｎ−ジエチルエタノールアミン、２−（２−ヒドロキシ）エトキシエタノールアミン、ジエタノールアミン、Ｎ−メチルジエタノールアミン、Ｎ−ブチルジエタノールアミン、トリエタノールアミン、プロパノールアミン、イソプロパノールアミン、ヒドロキシエチルピペラジンおよびアンモニア水溶液からなる群より選ばれた少なくとも１種を１〜４０重量％、塩素酸、塩素酸塩、亜塩素酸、亜塩素酸塩、次亜塩素酸塩および次亜塩素酸塩からなる群より選ばれた少なくとも１種の酸化剤を１〜１５重量％、アンモニウム塩を１〜１０重量％ならびにアゾール化合物を０．１〜２重量％の濃度で混合した水溶液からなる銅または銅合金のエッチング剤、ならびに
（２）銅または銅合金の表面に、モノエタノールアミン、Ｎ−メチルエタノールアミン、Ｎ−エチルエタノールアミン、Ｎ−ブチルエタノールアミン、Ｎ，Ｎ−ジメチルエタノールアミン、Ｎ，Ｎ−ジエチルエタノールアミン、２−（２−ヒドロキシ）エトキシエタノールアミン、ジエタノールアミン、Ｎ−メチルジエタノールアミン、Ｎ−ブチルジエタノールアミン、トリエタノールアミン、プロパノールアミン、イソプロパノールアミン、ヒドロキシエチルピペラジンおよびアンモニア水溶液からなる群より選ばれた少なくとも１種を１〜４０重量％、塩素酸、塩素酸塩、亜塩素酸、亜塩素酸塩、次亜塩素酸塩および次亜塩素酸塩からなる群より選ばれた少なくとも１種の酸化剤を１〜１５重量％、アンモニウム塩を１〜１０重量％ならびにアゾール化合物を０．１〜２重量％の濃度で混合した水溶液を接触させ、前記表面を平滑にするエッチング法
に関する。
【手続補正４】
【補正対象書類名】明細書
【補正対象項目名】０００７
【補正方法】変更
【補正の内容】
【０００７】
【発明の実施の形態】
以下に、本発明について詳細に記載する。本発明では、液をアルカリ性に保って酸化剤の分解を抑制し、また液中で銅を保持するための成分が用いられており、その具体例としては、例えばモノエタノールアミン、Ｎ−メチルエタノールアミン、Ｎ−エチルエタノールアミン、Ｎ−ブチルエタノールアミン、Ｎ，Ｎ−ジメチルエタノールアミン、Ｎ，Ｎ−ジエチルエタノールアミン、２−（２−ヒドロキシ）エトキシエタノールアミン、ジエタノールアミン、Ｎ−メチルジエタノールアミン、Ｎ−ブチルジエタノールアミン、トリエタノールアミン、プロパノールアミン、イソプロパノールアミン、ヒドロキシエチルピペラジン、アンモニア水溶液があげられる。前記成分のうちでは、モノエタノールアミン、ジエタノールアミン、トリエタノールアミンなどの炭素原子数８以下のアルカノールアミンやアンモニア水溶液などが、銅を保持する能力が高く、また入手しやすく安価なので好ましい。前記成分は２種以上を併用してもよい。
【手続補正５】
【補正対象書類名】明細書
【補正対象項目名】０００８
【補正方法】変更
【補正の内容】
【０００８】
エッチング剤中の前記成分の濃度は１〜４０％（重量％、以下同様）が好ましく、５〜３０％がさらに好ましい。前記濃度が１〜４０％の場合、エッチング液が溶解しうる銅の量が多く、また酸化剤が分解にくく、更にコスト面から見ても良好である。
【手続補正書】
【提出日】平成20年6月11日(2008.6.11)
【手続補正１】
【補正対象書類名】明細書
【補正対象項目名】００４２
【補正方法】変更
【補正の内容】
【００４２】
本発明において、構成要素［Ｃ］は骨格中に１ないし４個のフェニル基を有し、そのうちの少なくとも１個のフェニル基がメタ位にアミノ基を有するフェニル基である芳香族ジアミン化合物であり、エポキシ樹脂硬化剤として作用し、室温下および高温高湿下で高い弾性率および低い吸水率を与えるために必要な成分である。
【手続補正２】
【補正対象書類名】明細書
【補正対象項目名】００４５
【補正方法】変更
【補正の内容】
【００４５】
室温下および高温高湿下にて高い弾性率および低い吸水率を有する樹脂硬化物を与えるためには、本発明のエポキシ樹脂組成物に含まれる全芳香族ジアミン化合物中、構成要素［Ｃ］の芳香族ジアミン化合物が５０重量％以上含まれることが好ましく、８０重量％以上含まれることがより好ましく、９０重量％以上であればさらに好ましい。
【手続補正３】
【補正対象書類名】明細書
【補正対象項目名】００８５
【補正方法】変更
【補正の内容】
【００８５】
【表１】
2002363253.tif 000001
【手続補正４】
【補正対象書類名】明細書
【補正対象項目名】００８６
【補正方法】変更
【補正の内容】
【００８６】
【表２】
2002363253.tif 000002
【手続補正５】
【補正対象書類名】明細書
【補正対象項目名】００８７
【補正方法】変更
【補正の内容】
【００８７】
【表３】
2002363253.tif 000003
【手続補正書】
【提出日】平成20年3月13日(2008.3.13)
【手続補正１】
【補正対象書類名】明細書
【補正対象項目名】００１５
【補正方法】変更
【補正の内容】
【００１５】
水添ブロック共重合体（ａ）の製法は特に制限されず、例えば、アニオン重合やカチオン重合などのイオン重合法、シングルサイト重合法、ラジカル重合法などによって、ビニル芳香族化合物から主としてなる重合体ブロックを少なくとも２個と、共役ジエン化合物から主としてなる重合体ブロックを少なくとも１個有するブロック共重合体を製造し、次いでこのブロック共重合体を公知の方法に従って、不活性有機溶媒中で水添触媒の存在下に水添することにより製造することができる。
例えば、アニオン重合法による場合は、アルキルリチウム化合物などを重合開始剤として用いて、ｎ−ヘキサンやシクロヘキサンなどの不活性有機溶媒中で、ビニル芳香族化合物、および共役ジエン化合物を逐次重合させた後、アルコール類、カルボン酸類、水などの活性水素化合物を添加して重合を停止させることにより、ビニル芳香族化合物から主としてなる重合体ブロックを少なくとも２個と、共役ジエン化合物から主としてなる重合体ブロックを少なくとも１個有する所望の分子構造及び分子量を有するブロック共重合体を製造することができる。そして前記により製造されるブロック共重合体を、不活性有機溶媒中で、白金、パラジウム、ロジウムなどの貴金属を活性炭、シリカ、アルミナなどの担体に担持させた触媒；ラネーニッケル；有機ニッケル化合物、有機コバルト化合物あるいはこれらの化合物と他の有機金属化合物との複合触媒などの水添触媒の存在下に水添して、水添ブロック共重合体（ａ）を得ることができる。このようにして得られた水添ブロック共重合体（ａ）は、１種類を単独で用いてもよいし、２種類以上を併用してもよい。
【手続補正２】
【補正対象書類名】明細書
【補正対象項目名】００３５
【補正方法】変更
【補正の内容】
【００３５】
《実施例３》
（１）  参考例１で製造した水添ブロック共重合体(１)（表１における丸囲み数字１の水添ブロック共重合体）１００質量部に対し、ポリエチレン［商品名：ＵＪ４８０、日本ポリケム社製、ＭＦＲ（１９０℃、２．１６ｋｇ）＝３０ｇ／１０分］２０質量部を予備ブレンドした後、二軸押出機にて２３０℃で溶融混練して押し出し、切断して、熱可塑性重合体組成物のチップを調製した。これにより得られた熱可塑性重合体組成物のチップを用いて、該熱可塑性重合体組成物の残留歪み、引張り永久歪み、メルトテンション値の振れ幅、および溶融破断時の巻き取り速度を上記した方法で求めたところ、下記の表２に示すとおりであった。
（２）  上記（１）で得られた熱可塑性重合体組成物のチップを用いて、Ｔダイ式のフィルム成形機（φ＝９０ｍｍ、Ｌ／Ｄ＝２５、ダイ幅＝１０４０ｍｍ）にて、ライン速度５０ｍ／分のスピードで２６０℃で厚さの均一な伸縮性フィルム（フィルム厚み＝８０μｍ）を製造した。このフィルム製造時の成形加工性を上記した方法で評価したところ、良好（○）であった。
【手続補正書】
【提出日】平成20年1月31日(2008.1.31)
【手続補正１】
【補正対象書類名】明細書
【補正対象項目名】特許請求の範囲
【補正方法】変更
【補正の内容】
【特許請求の範囲】
【請求項１】  第１物体のパターンを第２物体上に投影する投影光学系において、
前記投影光学系は、屈折率１．５７以上の硝材を含む複数種類の硝材を有し、
前記投影光学系を構成する最像側の負レンズが、該最像側の負レンズの焦点距離をｆ、前記第１物体から前記第２物体までの距離をＬ、前記最像側の負レンズの屈折率をｎとするとき、下記の条件式を満たし、
前記投影光学系内に少なくとも１面の非球面を有することを特徴とする投影光学系。
|f/L|< 0.25
n≦1.55
【請求項２】  前記最像側の負レンズが、該最像側の負レンズのアッベ数をνgとするとき、下記の条件式を更に満たすことを特徴とする請求項１記載の投影光学系。
νg>50
【請求項３】  前記最像側の負レンズが、該最像側の負レンズのアッベ数をνgとするとき、下記の条件式を更に満たすことを特徴とする請求項１記載の投影光学系。
νg>60
【請求項４】  第１物体のパターンを第２物体上に投影する投影光学系において、
前記投影光学系は、屈折率１．５７以上の硝材を含む複数種類の硝材を有し、
前記投影光学系を構成する最像側の負レンズが、該最像側の負レンズの焦点距離をｆ、前記第１物体から前記第２物体までの距離をＬ、前記最像側の負レンズのアッベ数をνｇとするとき、下記の条件式を満たすことを特徴とする投影光学系。
|f/L|< 0.25
νg>60
【請求項５】  前記投影光学系内に少なくとも１面の非球面を有することを特徴とする請求項４記載の投影光学系。
【請求項６】  前記第１物体側から、
負レンズを１枚以上含む正レンズ群である第１レンズ群と、
負レンズを２枚以上含む負レンズ群である第２レンズ群と、
正レンズを３枚以上含む正レンズ群である第３レンズ群と、
負レンズを２枚以上含む負レンズ群である第４レンズ群と、
負レンズを２枚以上含み、かつ正レンズを３枚以上含む正レンズ群である第５レンズ群により構成されることを特徴とする請求項１〜請求項５の何れか一項に記載の投影光学系。
【請求項７】  前記第１レンズ群、前記第２レンズ群、前記第３レンズ群、前記第４レンズ群及び前記第５レンズ群の屈折力が、前記第１レンズ群の焦点距離をｆ１、前記第２レンズ群の焦点距離をｆ２、前記第３レンズ群の焦点距離をｆ３、前記第４レンズ群の焦点距離をｆ４、前記第５レンズ群の焦点距離をｆ５、前記第１物体から前記第２物体までの距離をＬとするとき、以下の条件式を満たすことを特徴とする請求項６記載の投影光学系。
0.04＜f1/L＜0.4
0.015＜-f2/L＜0.15
0.02＜f3/L＜0.2
0.015＜-f4/L＜0.15
0.03＜f5/L＜0.3
【請求項８】  前記第１物体側及び前記第２物体側がテレセントリックであることを特徴とする請求項１〜請求項７の何れか一項に記載の投影光学系。
【請求項９】  請求項１〜請求項８の何れか一項に記載の投影光学系と、
前記第１物体としてのマスク及び前記第２物体としての基板を位置決めするステージ系と、
前記マスクを照明する照明光学系とを備え、
前記照明光学系からの露光光により前記マスクのパターンの像を前記投影光学系を介して前記基板上に投影することを特徴とする露光装置。
【請求項１０】  基板上に感光材料を塗布する第１工程と、
請求項９記載の露光装置の前記投影光学系を介して、前記基板上に前記マスクのパターンの像を投影する第２工程と、
前記基板上の前記感光材料を現像する第３工程と、
該現像後の感光材料をマスクとして前記基板上に所定の回路パターンを形成する第４工程とを有することを特徴とするデバイスの製造方法。
【手続補正２】
【補正対象書類名】明細書
【補正対象項目名】００１９
【補正方法】変更
【補正の内容】
【００１９】
また、請求項８記載の投影光学系は、前記第１物体側及び前記第２物体側がテレセントリックであることを特徴とする。
また、請求項９記載の露光装置は、請求項１〜請求項８の何れか一項に記載の投影光学系と、前記第１物体としてのマスク及び前記第２物体としての基板を位置決めするステージ系と、前記マスクを照明する照明光学系とを備え、前記照明光学系からの露光光により前記マスクのパターンの像を前記投影光学系を介して前記基板上に投影することを特徴とする。
【手続補正３】
【補正対象書類名】明細書
【補正対象項目名】００２０
【補正方法】変更
【補正の内容】
【００２０】
この請求項９記載の露光装置によれば、投影光学系が大きい開口数で、かつ両側テレセントリックに構成されているため、高い解像度が得られると共に、マスクや基板に反りが生じても投影倍率が変化することを防止できる。また、広い露光領域が得られるため、大きなチップパターンを一度に露光することができる。更にエネルギー密度の高い所に位置するレンズに、低屈折率で透過率の高い硝材を使用することで、硝材の吸収によって生じる結像性能の悪化を抑制し高い結像性能を得ることができる。また像側の負レンズに、低屈折率硝材を使用することで、広フィールドの投影光学系に発生しがちな色による像面湾曲収差を補正でき高い結像性能を得ることができる。
【手続補正４】
【補正対象書類名】明細書
【補正対象項目名】００２１
【補正方法】変更
【補正の内容】
【００２１】
また、請求項１０記載のデバイスの製造方法は、基板上に感光材料を塗布する第１工程と、請求項９記載の露光装置の前記前記投影光学系を介して、前記基板上に前記マスクのパターンの像を投影する第２工程と、前記基板上の前記感光材料を現像する第３工程と、該現像後の感光材料をマスクとして前記基板上に所定の回路パターンを形成する第４工程とを有することを特徴とする。この請求項１０記載のデバイスの製造方法によれば、基板上において高い解像度でデバイス用の回路パターンを形成することができる。
【手続補正書】
【提出日】平成20年6月16日(2008.6.16)
【手続補正１】
【補正対象書類名】明細書
【補正対象項目名】００１６
【補正方法】変更
【補正の内容】
【００１６】
また、液晶表示パネルＤＰは、略マトリクス状に配置された表示画素ＰＸからなる表示部を有している。アレイ基板１は、例えばガラス等の透明絶縁基板を有している。この透明絶縁基板上には、各表示画素ＰＸに複数の画素電極ＰＥが配置されている。
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
バイオリンを演奏する時に、バイオリン下部に覆せられ布、皮、合皮等の和らかいものから成り固いあごあてや首にあたって痛みを感じる突起物（エンドピン）や金具をおおうカバー本体と上記カバー本体の内部に入れられたクッションとを具備した事を特徴とするバイオリン弾き用カバー。
【請求項２】
請求項１記載のバイオリン弾き用カバーにおいて、クッションは重ね付け、取り外しが可能で、固定については、ゴム又はファソナーによりピッタリと固定し、脱着する構成を有することを特徴とするバイオリン弾き用カバー。
〔手数料に関する特記事項〕
特許法第１９５条の２の規定による審査請求料の免除
【手続補正２】
【補正対象書類名】明細書
【補正対象項目名】全文
【補正方法】変更
【補正の内容】
【発明の詳細な説明】
【発明の名称】バイオリン弾き用カバー
【技術分野】
【０００１】本発明は、バイオリンの演奏が楽器の演奏時に使用するもので、バイオリンをあごと肩にはさむ部分の固いあごあてや、首にあたってしまうバイオリンの突起物（エンドピン）や金具を覆い、演奏者は、バイオリンをあごと肩にはさむ時に、本発明をかぶせたうえではさみ使用する。
使用時には、ゴム、又は、ファソナーにより脱着、固定されるバイオリン弾き用カバー。
【背景技術】
【０００２】現状としてハンカチやタオルを被せ演奏、練習する者が多いいが、これらはきちんと固定されておらず、もう一方の弓をもっている手で正位置にもどすという難かしい手間がかかる。
しかし、前記を使用せず奏でるとバイオリン下部の固いあごあてや突起物（エンドピン）や金具が直接、顎や首にあたり痛みを受ける欠点。
奏者から出る汗を吸収してくれる物が無ために、汗によりバイオリンのニスが剥れザラザラしてくる違和感を受ける欠点。
さらに、汗によりすべったりして奏者とバイオリンの一体感を得られず良い音が追求しがたいという欠点等がある。
【発明の開示】
【発明が解決しようとする課題】
【０００３】本発明は以上のような従来の欠点に鑑みてなされたのもである。
バイオリンと奏者の肌の接点である部分をおおう事により、固いあごあて、突起物、金具等と直接あたらずにすむので痛みを受けずにすむ事を目的とし、本発明が汗を吸収する事により、楽器のニスが剥れてザラザラする事もないので違和感を受けないですむ事を目的とし、ゴムやファソナーでピッタリと固定する事と、汗を吸収してすべりを無くす事により奏者と楽器の一体感をうみ良い音の追求の手助けをする事を目的とする。
【課題を解決するための手段】
【０００４】上記課題を解決するために本発明は、バイオリンを演奏する時に、バイオリン下部に覆せられ布、皮、合皮等の和らかいものから成り固いあごあてや首にあたって痛みを感じる突起物（エンドピン）や金具をおおうカバー本体と上記カバー本体の内部に入れられたクッションとを具備した事を特徴とするバイオリン弾き用カバー。
さらに、上記のバイオリン弾き用カバーにおいてクッションは重ね付け、取り外しが可能で、固定については、ゴム又はファソナーによりピッタリと固定し、脱着する構成を有する事を特徴とする事でバイオリン弾き用カバーを構成している。
【発明の効果】
【０００５】以上の説明から明らかなように、本発明に、あたっては、次に列挙する効果が得られる。
【請求項１】
の構成要件で構成されているので、汗を吸収し、汗によるすべりで音をずらしてしまう事を防止し、汗による楽器の剥れのザラザラな違和感を防ぎ、バイオリン下部の凹凸物から肌をまもり痛みを防ぐ事が出来る。さらに［請求項２］の構成要件で、構成されているので、奏者の首の長さに合わせクッションの重ね付けや取り外し楽器に装着するカバーが固定されるため奏者と楽器の一体感をうみ、良い音の追求の手助けが出来る。
【発明を実施するための最良の形態】
【０００６】以下、図面に示す発明を実施するための最良の形態により、本発明を詳細に説明する。
図１ないし図４の本発明を実施するための最良の形態において、１．は、布、皮、合皮等の和らかな素材より成るカバー本体である。
２．は、前記１．にぬい付けられたゴムである。
このゴムによりバイオリン本体中央くぼみにひっかかる事で装着する。
３．は、前記１．内部に取り付け外し、重ね付け自由なクッションである
４．は、ゴムが外見的に気に入らない奏者向けの前記１中央に取り付けられたファソナーである。
５．は４同様ファソナーだが位置が前記１の横に取り付けられたものである。
６．は、前記１に付けられた前記２．のゴムをおおいかくす様に前記１．に付けられたリボンである。
上記の構成のバイオリン弾き用カバーは、ファソナーで装着するか、バイオリン下部にはめ込むようにしてカバー本体を覆せ、サイドのゴムを引っぱりバイオリン中央のくぼみにひっかけ装着し、リボンをする事でゴムをかくしたうえで奏者は顎と肩でバイオリン弾き用カバーを覆せたバイオリンを顎と肩ではさみ固定し演奏時に使用する。
【図面の簡単な説明】
【０００７】
【図１】本発明を実施するための最良の形態の斜視図である。
【図２】上記のゴムを使用しない場合のファソナーを使用する場合の斜視図である。
【図３】上記ファソナーを中央でなくサイドにした場合の斜視図である。
【図４】図１ａ線の断面図である。
【符号の説明】
【０００８】１．カバー本体
２．ゴム
３．内部クッション
４．中央ファソナー
５．サイドファソナー
６．リボン
【手続補正３】
【補正対象書類名】図面
【補正対象項目名】全図
【補正方法】変更
【補正の内容】
【図１】
2008026843.tif 000001
【図２】
2008026843.tif 000002
【図３】
2008026843.tif 000003
【図４】
2008026843.tif 000004
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
各種の命令を表現するコマンドを発行するコントローラからコマンドを受信し、該コマンドに従って画像形成を実行する画像形成装置であって、
装置内部の状態に基づいて画像形成条件調整の必要性を判断する必要性判断手段と、
前記必要性判断手段により前記画像形成条件調整の必要性があると判断されたことに応じて画像形成条件調整実行要求と、当該画像形成条件調整実行要求の要因に応じた要因情報と、を前記コントローラに対して送信する制御手段と、を有し、
前記コントローラは、前記制御手段から送信される画像形成条件調整実行要求と、前記要因情報の種類と、に基づいて画像形成条件調整の実行を指示する実行コマンドの発行制御を行うことを特徴とする画像形成装置。
【請求項２】
各種の命令を表現するコマンドを発行するコントローラと、該コントローラが発行するコマンドに従って画像形成を実行するプリンタエンジンと、該プリンタエンジンの動作を制御する制御手段とを有する画像形成装置であって、
前記制御手段は、装置内部の状態に基づいて画像形成条件調整の必要性を判断する必要性判断手段と、
前記必要性判断手段により前記画像形成条件調整の必要性があると判断されたことに応じて画像形成条件調整実行要求と、当該画像形成条件調整実行要求の要因に応じた要因情報と、を前記コントローラに対して送信する送信手段と、を有し、
前記コントローラは、前記制御手段から送信される画像形成条件調整実行要求と、前記要因情報の種類と、に基づいて画像形成条件調整の実行を指示する実行コマンドの発行制御を行うコマンド発行制御手段とを有することを特徴とする画像形成装置。
【請求項３】
前記制御手段は、画像形成条件調整実行の優先度を表す情報を前記要因情報として前記コントローラへ送信し、
前記コントローラは、前記優先度と画像形成条件調整実行に関する予め定められた設定値とを比較し、前記優先度が前記設定値よりも高い場合に画像形成条件調整を実行する実行コマンドを発行することを特徴とする請求項１または２に記載の画像形成装置。
【請求項４】
画像品質を優先するモードを選択可能とし、該モードが選択されている場合には、前記コントローラは前記要因情報に関わらず、前記画像形成条件調整実行要求に基づいて画像形成条件調整を実行するための実行コマンドを発行することを特徴とする請求項１乃至３のいずれか１項に記載の画像形成装置。
【請求項５】
前記画像形成条件は、画像の濃度、カラー画像の色成分バランス、カラー画像の色ずれの少なくとも一つを含むことを特徴とする請求項１乃至４のいずれかに１項に記載の画像形成装置。
【請求項６】
各種の命令を表現するコマンドを発行するコントローラからコマンドを受信し、該コマンドに従って画像形成を実行する画像形成装置における画像形成方法であって、
装置内部の状態に基づいて画像形成条件調整の必要性を判断する必要性判断ステップと、
前記必要性判断ステップにおいて前記画像形成条件調整の必要性があると判断されたことに応じて画像形成条件調整実行要求と、当該画像形成条件調整実行要求の要因に応じた要因情報とを前記コントローラに対して送信する制御ステップと、を有し、
前記コントローラは、前記制御ステップから送信される前記画像形成条件調整実行要求と、前記要因情報の種類と、に基づいて画像形成条件調整の実行を指示する実行コマンドの発行制御を行うことを特徴とする画像形成装置の画像形成方法。
【請求項７】
各種の命令を表現するコマンドを発行するコントローラと、該コントローラが発行するコマンドに従って画像形成を実行するプリンタエンジンと、該プリンタエンジンの動作を制御する制御手段とからなる画像形成装置の画像形成方法であって、
前記制御手段による、装置内部の状態に基づいて画像形成条件調整の必要性を判断する必要性判断ステップと、前記必要性判断ステップにおいて前記画像形成条件調整の必要性があると判断されたことに応じて画像形成条件調整実行要求と、当該画像形成条件調整実行要求の要因に応じた要因情報と、を前記コントローラに対して送信する送信ステップと、を有し、
前記コントローラによる、前記制御ステップから送信される画像形成条件調整実行要求と、前記要因情報の種類と、に基づいて画像形成条件調整の実行を指示する実行コマンドの発行制御を行うコマンド発行制御ステップとを有することを特徴とする画像形成装置の画像形成方法。
【手続補正２】
【補正対象書類名】明細書
【補正対象項目名】００７８
【補正方法】変更
【補正の内容】
【００７８】
（１）各種の命令を表現するコマンドを発行するコントローラからコマンドを受信し、該コマンドに従って画像形成を実行する画像形成装置であって、装置内部の状態に基づいて画像形成条件調整の必要性を判断する必要性判断手段と、前記必要性判断手段により前記画像形成条件調整の必要性があると判断されたことに応じて画像形成条件調整実行要求と、当該画像形成条件調整実行要求の要因に応じた要因情報と、を前記コントローラに対して送信する制御手段とを有し、前記コントローラは、前記制御手段から送信される画像形成条件調整実行要求と、前記要因情報の種類と、に基づいて画像形成条件調整の実行を指示する実行コマンドの発行制御を行うことを特徴とする画像形成装置。
（２）各種の命令を表現するコマンドを発行するコントローラと、該コントローラが発行するコマンドに従って画像形成を実行するプリンタエンジンと、該プリンタエンジンの動作を制御する制御手段とを有する画像形成装置であって、前記制御手段は、装置内部の状態に基づいて画像形成条件調整の必要性を判断する必要性判断手段と、前記必要性判断手段により前記画像形成条件調整の必要性があると判断されたことに応じて画像形成条件調整実行要求と、当該画像形成条件調整実行要求の要因に応じた要因情報と、を前記コントローラに対して送信する送信手段とを有し、前記コントローラは、前記制御手段から送信される画像形成条件調整実行要求と、前記要因情報の種類と、に基づいて画像形成条件調整の実行を指示する実行コマンドの発行制御を行うコマンド発行制御手段とを有することを特徴とする画像形成装置。
【手続補正３】
【補正対象書類名】明細書
【補正対象項目名】００７９
【補正方法】削除
【補正の内容】
【手続補正４】
【補正対象書類名】明細書
【補正対象項目名】００８０
【補正方法】削除
【補正の内容】
【手続補正５】
【補正対象書類名】明細書
【補正対象項目名】００８１
【補正方法】削除
【補正の内容】
【手続補正６】
【補正対象書類名】明細書
【補正対象項目名】００８２
【補正方法】削除
【補正の内容】
【手続補正７】
【補正対象書類名】明細書
【補正対象項目名】００８３
【補正方法】削除
【補正の内容】
【手続補正８】
【補正対象書類名】明細書
【補正対象項目名】００８４
【補正方法】削除
【補正の内容】
【手続補正書】
【提出日】平成20年5月8日(2008.5.8)
【手続補正１】
【補正対象書類名】明細書
【補正対象項目名】特許請求の範囲
【補正方法】変更
【補正の内容】
【特許請求の範囲】            
【請求項１】  電子ビームをウエハーに投影する電子ビーム投影装置において、
前記電子ビームを生成する電子ビーム源と、
転写パターンを有し、前記電子ビーム源からの前記電子ビームが通過するマスクと、
色収差及び球面収差を有し、前記マスクからの前記電子ビームを前記ウエハーにフォーカシングする投影レンズ系と、
前記ウエハーが載置され、前記球面収差の効果によって前記色収差の影響を相殺して、前記投影レンズ系によるフォーカシングが鮮鋭となる平面に前記ウエハーを位置させるウエハーステージとを備えていることを特徴とする電子ビーム投影装置。
【請求項２】  前記球面収差の係数が５〜１５０ｍｍであることを特徴とする請求項１記載の電子ビーム投影装置。
【請求項３】  前記平面は、前記色収差のみによって決定される像面よりも前記投影レンズ系に４〜２０μｍだけ近接していることを特徴とする請求項１記載の電子ビーム投影装置。
【請求項４】  電子パターン形成機器の一部に用いられ、前記マスクの厚みは、前記電子パターン形成機器の電子の平均自由行程よりも小さいことを特徴とする請求項１記載の電子ビーム投影装置。
【請求項５】  前記投影レンズ系は少なくとも１個のレンズを含むことを特徴とする請求項１記載の電子ビーム投影装置。
【請求項６】  前記少なくとも１個のレンズは投影レンズダブレットを含むことを特徴とする請求項５記載の電子ビーム投影装置。
【請求項７】  電子ビームを生成する電子ビーム源と、転写パターンを有し、前記電子ビーム源からの前記電子ビームが通過するマスクと、色収差及び球面収差を有し、前記マスクからの前記電子ビームをウエハーにフォーカシングする投影レンズ系とを備えている電子ビーム投影装置のためのフォーカシング方法において、
前記色収差に基づいて、前記投影レンズ系の第１像面を決定し、
前記球面収差を考慮して、前記第１像面をシフトさせることで前記投影レンズ系の第２像面を決定し、
前記ウエハーを前記第２像面に配置し、前記色収差と前記球面収差との相殺によって、前記投影レンズ系によるフォーカシングを鮮鋭にすることを特徴とするフォーカシング方法。
【請求項８】  前記球面収差の係数が５〜１５０ｍｍであることを特徴とする請求項７記載のフォーカシング方法。
【請求項９】  前記第２像面は、前記第１像面よりも前記投影レンズ系に４〜２０μｍだけ近接していることを特徴とする請求項７記載のフォーカシング方法。
【請求項１０】  前記電子ビーム投影装置は電子パターン形成機器に用いられ、前記マスクの厚みは、前記電子パターン形成機器の電子の平均自由行程よりも小さいことを特徴とする請求項７記載のフォーカシング方法。
【手続補正２】
【補正対象書類名】明細書
【補正対象項目名】００２７
【補正方法】変更
【補正の内容】
【００２７】
【課題を解決するための手段】
上記目的を達成するために、本発明の電子ビーム投影装置は、電子ビームを生成する電子ビーム源と、転写パターンを有し、電子ビーム源からの電子ビームが通過するマスクと、色収差及び球面収差を有し、マスクからの電子ビームをウエハーにフォーカシングする投影レンズ系(a projection column) と、ウエハーが載置され、球面収差の効果によって色収差の影響を相殺して、投影レンズ系によるフォーカシングが鮮鋭となる平面にウエハーを位置させるウエハーステージとを備えていることを特徴とするものである。
【手続補正３】
【補正対象書類名】明細書
【補正対象項目名】００２９
【補正方法】変更
【補正の内容】
【００２９】
さらに本発明の電子ビーム投影装置は、電子パターン形成機器（tool）に用いられ、マスクの厚みは、電子パターン形成機器の電子の平均自由行程よりも小さいことが好ましい。
【手続補正４】
【補正対象書類名】明細書
【補正対象項目名】００３０
【補正方法】変更
【補正の内容】
【００３０】
また、投影レンズ系は少なくとも１個のレンズを含む。さらに、少なくとも１個のレンズは投影ダブレットレンズを含むのがよい。
【手続補正５】
【補正対象書類名】明細書
【補正対象項目名】００３１
【補正方法】変更
【補正の内容】
【００３１】
さらに本発明のフォーカシング方法は、電子ビームを生成する電子ビーム源と、転写パターンを有し、電子ビーム源からの電子ビームが通過するマスクと、色収差及び球面収差を有し、マスクからの電子ビームをウエハーにフォーカシングする投影レンズ系とを備えている電子ビーム投影装置に用いられ、フォーカシング方法においては、色収差に基づいて、投影レンズ系の第１像面を決定し、球面収差を考慮して、第１像面をシフトさせることで投影レンズ系の第２像面を決定し、ウエハーを第２像面に配置し、色収差と球面収差との相殺によって、投影レンズ系によるフォーカシングを鮮鋭にすることを特徴とするものである。